(57)【特許請求の範囲】
【請求項１】
巻尺に着脱自在に取付けられ、当該巻尺に装填された測定テープを巻取りながら同測定テープに付着した汚れをクリーニングする巻尺テープ用のクリーナーであって、
開閉自在に２分割された一対のボックスから成るボックス本体の開口内部に、スポンジが各々収納され、前記ボックス本体は、一対のボックスの閉じ状態で、対向する前記スポンジが当接しつつ一体化されると共に、一方のボックスに、引掛け自在なステー係止片が取り付けられており、
一対のボックスの対向するスポンジ間に巻尺の測定テープを挟んでボックス本体が一体化され、巻尺の測定テープ用口部の近傍に設置されているステーに、前記ボックスのステー係止片が係止され、巻尺の測定テープを巻取りながら同測定テープに付着した砂や土、泥等の汚れが、前記測定テープを挟むボックス本体内のスポンジによりクリーニングされる構成であることを特徴とする巻尺テープ用クリーナー。
【請求項２】
ボックス本体をなす一対のボックスは、各内端同士が接続されて展開自在であり、一方のボックスの外端にはボックス係止片が取り付けられ、他方のボックスの外端に、前記ボックス係止片が係止自在な被係止部が設けられ、その被係止部に前記ボックス係止片が係止されることにより、一対のボックスがボックス本体として一体化自在に構成されていることを特徴とする、請求項１に記載した巻尺テープ用クリーナー。
【請求項３】
ボックスの外側面には、滑り止め防止用の凸部が形成されていること特徴とする、請求項１又は２に記載した巻尺テープ用クリーナー。
【請求項４】
ボックス本体をなす一対のボックスにおいて、スポンジに挟まれて摺動自在な測定テープが出入りする前端と後端は、測定テープの保護用に切欠された開口部に形成されていることを特徴とする、請求項１〜３のいずれか１項に記載した巻尺テープ用クリーナー。
【発明の詳細な説明】
【技術分野】
【０００１】
本発明は、屋外での土木・建築の工事現場や競技等で、計測時に使用される巻尺の測定テープに付着する砂や土、泥といった汚れをクリーニングする巻尺テープ用クリーナーの技術分野に関するものである。
【背景技術】
【０００２】
土木工事等の現場や競技で計測時に使用される巻尺は、計測の際、巻尺から引き出された測定テープが地面等に押し付けられ、当該巻尺の測定テープに砂や土、泥類が付着する。この汚れた巻尺の測定テープを清掃する器具として、下記特許文献１がある。
【０００３】
同特許文献１には、図１４に図示したように、「巻尺に着脱自在に取り付けられる清掃具本体aと、上記清掃具本体aに設けられオイルｊを貯溜するオイルタンクｈと、上記清掃具本体aに取り付けられ上記巻尺に捲回されている巻尺テープｗに付着した汚れをクリーニングするブラシｋと、上記清掃具本体aに取り付けられ上記オイルタンクｈより供給されるオイルｊを含浸し、上記ブラシｋによって汚れをクリーニングされた巻尺テープｗにオイルｊを塗布するオイル塗布体ｍと、を具備した巻尺テープ清掃具」（同文献の請求項１参照）が記載されている。
【０００４】
そして、前記「清掃具本体aは、一対の支持部材ｂ、ｃから構成されていて、これら支持部材ｂ、ｃは、ピンｄ等によって回動自在に連結されている。上記支持部材ｂの両側には、スカート部ｅ、ｅが設けられており、清掃具本体ａは、この一対のスカート部ｅ、ｅによって、巻尺の枠体ｙを挟み込むようにして取り付けられている。そして、固定ねじｇによって固定されている」（同文献の実施例の５行目〜１３行目参照）。
さらに、前記「支持部材ｂ、ｃの間隔は、押さえ力調整ねじｐによって適宜調整され、それによって、一対のブラシｋ、ｋ、一対のオイル塗布用固形綿ｍ、ｍによる、巻尺テープｗの押さえ力が調整される」構成とされている（同文献の実施例の３４行目〜３８行目参照）。
【先行技術文献】
【特許文献】
【０００５】
【特許文献１】実開平３−４９０６２号公報（全文）
【発明の概要】
【発明が解決しようとする課題】
【０００６】
前記特許文献１の巻尺テープ清掃具は、清掃具本体aの一対の支持部材ｂ、ｃの両側にスカート部ｅ、ｅを設け、その一対のスカート部ｅ、ｅを、巻尺の枠体ｙに挟み込むようにして取り付け、固定ねじｇによって固定しなければならず、巻尺への取り付け作業が面倒である。しかも、同文献の記載（同文献の実施例の４４行目〜４５行目参照）によれば、「巻尺を使用したら、巻尺テープ清掃具を巻尺の枠体ｙに固定する。」とあるので、巻尺の使用後に固定ねじｇで固定し、清掃し、清掃後に取り外し、また巻尺の使用後に固定ねじｇで固定するといったように、使用の都度、巻尺テープ清掃具の巻尺への固定と取り外しを繰り返して行わなければならず、その作業が大変面倒で煩わしい。
【０００７】
また、支持部材ｂ、ｃ間の一対のブラシｋ、ｋと、一対のオイル塗布用固形綿ｍ、ｍの間への、巻尺テープｗのセッティング方法は明らかでないが、押さえ力調整ねじｐを緩めてセッティングし、セッティング後に押さえ力調整ねじｐによる押さえ力を調整する作業も面倒である。つまり、この巻尺テープ清掃具は、巻尺テープｗのセッティングが面倒である上、巻尺への固定及び取り外し作業を巻尺テープｗのクリーニングの都度行う不自由さがある。
【０００８】
さらに、清掃具本体aには、オイル塗布体（オイル塗布用固形綿）ｍ、ｍのほか、オイルｊを貯溜するオイルタンクｈや、ブラシｋ、ｋとを具備する必要があり、部品点数が多く、製造コストがかかる上、それらの部品自体の点検や清掃の作業が厄介であるといった問題もある。
【０００９】
したがって、本発明の目的は、巻尺の測定テープ及び当該巻尺に対し簡単に着脱でき、屋外での土木・建築の工事現場や競技で、計測時に使用した巻尺の測定テープに付着する砂や土、泥といった汚れのクリーニングを簡便構造で実施でき、常時巻尺テープに取り付けたまま使用できる利便性に優れる上、当該クリーナー自体の清掃も容易に行え、そのクリーナーを交換してすぐに使用できる自在性もあって使い勝手がよく、製作コストの低減化にも寄与する巻尺テープ用クリーナーを提供することである。
【課題を解決するための手段】
【００１０】
課題を解決するための手段として、請求項１に記載した巻尺テープ用クリーナーは、巻尺１に着脱自在に取付けられ、当該巻尺１に装填された測定テープ２を巻取りながら同測定テープ２に付着した汚れ９をクリーニングする巻尺テープ用のクリーナーであって、
開閉自在に２分割された一対のボックス３Ａ、３Ｂから成るボックス本体３の開口内部３０に、スポンジ５、５が各々収納され、前記ボックス本体３は、一対のボックス３Ａ、３Ｂの閉じ状態で、対向する前記スポンジ５、５が当接しつつ一体化されると共に、一方のボックス３Ａに、引掛け自在なステー係止片６が取り付けられており、
一対のボックス３Ａ、３Ｂの対向するスポンジ５、５間に巻尺１の測定テープ２を挟んでボックス本体３が一体化され、巻尺１の測定テープ用口部１５の近傍に設置されているステー１１に、前記ボックス３のステー係止片６が係止され、巻尺１の測定テープ２を巻取りながら同測定テープ２に付着した砂や土、泥等の汚れ９が、前記測定テープ２を挟むボックス本体３内のスポンジ５、５によりクリーニング自在に構成されていることを特徴とする。
【００１１】
請求項２に記載した巻尺テープ用クリーナーは、前記ボックス本体３をなす一対のボックス３Ａ、３Ｂの各内端３１、３１同士が接続されて展開自在であり、一方のボックス３Ｂの外端３３にはボックス係止片７が取り付けられ、他方のボックス３Ａの外端３３に、前記ボックス係止片７が係止自在な被係止部８が設けられ、その被係止部８に前記ボックス係止片７が係止されることにより、一対のボックス３Ａ、３Ｂがボックス本体３として一体化されることを特徴とする。
【００１２】
請求項３に記載した巻尺テープ用クリーナーは、前記ボックス３Ａ、３Ｂの外側面３４に、滑り止め防止用の凸部４が形成されていること特徴とする。
【００１３】
請求項４に記載した巻尺テープ用クリーナーは、前記ボックス本体３をなす一対のボックス３Ａ、３Ｂにおいて、スポンジ５、５に挟まれて摺動自在な測定テープ２が出入りする前端３７と後端３８は、測定テープ２の保護用に切欠された開口部３６に形成されていることを特徴とする。
【発明の効果】
【００１４】
本発明の請求項１にかかる巻尺テープ用クリーナーによれば、開閉自在に２分割された一対のボックスから成るボックス本体の開口内部に、スポンジが各々収納され、前記ボックス本体は、一対のボックスの閉じ状態で、対向する前記スポンジが当接しつつ一体化されると共に、一方のボックスに、引掛け自在なステー係止片が取り付けられているので、前記対向するスポンジ間に巻尺の測定テープを挟んでボックス本体が一体化され、巻尺の測定テープ用口部の近傍に設置されているステーを利用して、同ステーに前記ボックスのステー係止片を係止するだけで簡単に巻尺に取り付けることができて至極扱い易い。
そして、巻尺に取り付けたままの状態で常時使用でき、巻尺の測定テープを巻取りながら同測定テープに付着した砂や土、泥等の汚れを、前記測定テープを挟むスポンジによりクリーニングできて便利である。
【００１５】
また、他方のボックス外端の被係止部に、一方のボックス外端のボックス係止片が係止すれば、一対のボックスをボックス本体として簡単に一体化され（請求項２）、一体化したクリーナーのステー係止片を、前記巻尺のステーに係止するだけで簡単に巻尺に取り付けることがでる。
逆に、当該クリーナーを巻尺テープから取り外す際にも、ステー係止片を巻尺のステーから離脱し、前記ボックス係止片を被係止部への係止状態を解除すればよい。かくして、クリーナーの特にはスポンジに付着した汚れを水で洗浄し、再度、ボックス係止片を被係止部に係止し、前記ステーにボックスのステー係止片を係止して簡単に再使用することができて使い勝手がよい。
【００１６】
ボックスの外側面には、請求項３のように、滑り止め防止用の凸部が形成されているので、当該クリーナーを測定テープにセットしてステーに係止する際、或いはそれらを解除する際、ボックスを手指でつかんだときに滑りにくい利便性がある。
【００１７】
さらに、請求項４のように、スポンジに挟まれて摺動自在な測定テープが出入りする前端と後端は、測定テープの保護用に切欠された開口部に形成されているため、測定テープが直接ボックスに当接せず、測定テープの印字が消えたり、測定テープ自体を傷つける恐れがない。
【図面の簡単な説明】
【００１８】
【図１】本発明の巻尺テープ用クリーナーの測定テープへの取付け要領を示した斜視図である。
【図２】Ａ、Ｂは、本クリーナーのボックス本体の展開状態を示した側面図と同正面図である。
【図３】本クリーナーの展開状態を示した正面図である。
【図４】Ａ、Ｂは、本クリーナーの展開状態図と同側面図である。
【図５】Ａ、Ｂ、Ｃ、Ｄは、本クリーナーの閉じ状態を示した前後左右の各側面と、Ｅは同クリーナーの平面図である。
【図６】本クリーナーのボクックスの係止要領を示した説明図である。
【図７】Ａ、Ｂ、Ｃは、ボックスの凸部のバリエーションを示した説明図である。
【図８】クリーナーの巻尺への取付け状態を示した全体図である。
【図９】本クリーナーのスポンジに測定テープを挟む状況を示した斜視図である。
【図１０】同スポンジに測定テープを挟んで取付けた状態を示した斜視図である。
【図１１】巻尺テープ用クリーナーを巻尺のステーに係止する直前の段階を示した斜視図である。
【図１２】同クリーナーを巻尺のステーに係止した状態を示した斜視図である。
【図１３】測定テープのクリーニング要領を示した斜視図である。
【図１４】従来例を示した説明図である。
【発明を実施するための最良の形態】
【００１９】
本発明の巻尺テープ用クリーナーの好適な実施形態を、以下図面にしたがって説明する。
【００２０】
この巻尺テープ用クリーナーは、図８と図１１に例示したような巻尺１のステー１１に着脱自在に取り付け、巻尺１の測定テープ２を巻取りながら同測定テープ２に付着した土等の汚れ９を、いわば自動的にクリーニングするものである（図１２、図１３参照）。
【００２１】
巻尺１は、本体ケース１０をなす表ケース１０Ａと裏ケース１０Ｂで挟まれた内部の巻取ドラム１２に、長尺の測定テープ２を引出し可能に巻装し、巻取ドラム１２に接続されたハンドル１３の回転操作により、引出された測定テープ２を巻取り自在に構成されている。そして、測定テープ２の引出し時と巻取り時に測定テープ２があばれて揺動するのを防ぐため、図１と図９に示したように、本体ケース１０の下方位置の測定テープ用口部１５に、ローラー１４と、その直上に位置するステー１１が設置されている。ステー１１は、測定テープ２の幅寸より若干長い棒状体で形成されており、当該ステー１１と、その下のローラー１４との間を測定テープ２が挿通する仕組みである。
【００２２】
図２〜図６に示した本実施形態の巻尺テープ用クリーナーについて説明する。本クリーナーは、箱状のボックス本体３を２分割して成る籠状の一対のボックス３Ａ、３Ｂの各内端３１、３１同士が、一体成型された接続体３２を介し接続されて、展開が自在に構成されている。各ボックス３Ａ、３Ｂは、合成樹脂成型品により、縦×横×高さが２３×３０×８ｍｍに形成されている。
一方のボックス３Ｂの外端３３に、ボックス係止片７が取り付けられている。ボックス係止片７は、先端に爪部７０を備え、基端がボックス３Ｂの外端３３で固定自在に一体化されている（図６参照）。
他方のボックス３Ａの外端３３に、前記ボックス係止片７が係止自在な被係止部８が設けられている。この被係止部８は、ボックス３Ａの外端３３が若干凹んで形成された凹部８０と、同ボックス３Ａの表面の外端３３で縦方向に形成された孔部８１とで形成されている。前記の被係止部８に前記ボックス係止片７が係止されることにより、一対のボックス３Ａ、３Ｂがボックス本体３として一体化自在となっている。
【００２３】
前記ボックス３Ａに、前記巻尺１のステー１１に引掛け自在なステー係止片６が取り付けられている（図３〜図５）。すなわち、ボックス３Ａの後端３８（被係止部８に直交する配置のボックス３Ａの側面）に、貫通孔を備えた引掛け部６０が設けられている。この引掛け部６０の貫通孔にステンレス製で成るＬ字状のステー係止片６が、後述の開口部３６とは反対方向に突き出た状態で（図５Ｂ参照）、引掛けて固定されている。
【００２４】
前記一対のボックス３Ａ、３Ｂにおいて、スポンジ５、５に挟まれて摺動自在な測定テープ２が出入りする前端３７と後端３８は、切欠して開口された開口部３６に形成されている。このような開口部３６がないと、測定テープ２がボックス３Ａ、３Ｂの各前端３７と後端３８で当接し、テープ上の目盛等の印字が消えたり、測定テープ２自体を傷付けてしまうので、これを防止して測定テープ２を保護するためである。
【００２５】
上述した一対のボックス３Ａ、３Ｂから成るボックス本体３の開口内部３０に、ナイロン製等のスポンジ５、５が各々収納され底部で接着されている（図３〜図５）。１個のスポンジ５の大きさは、前記１個のボックス３Ａ（又は３Ｂ）に嵌り込む大きさとして、縦×横×高さが２０×２５×１０ｍｍに形成されている。よって、各ボックス３Ａ（又は３Ｂ）へ当該スポンジ５を収納した状態で、図４に示したように、スポンジ５が各ボックス３Ａ、３Ｂの上端から若干高く突き出た状態となっている。このスポンジ５、５間に測定テープ２を挟んでボックス本体３として一体化し、挟まれた測定テープ２を適度な弾力で押圧して（図８〜図１０）、汚れ９のクリーニングの確実化を図るためである。
【００２６】
前記ボックス３Ａ、３Ｂの外側面３４には、滑り止め防止用の凸部４が形成されている。よって、当該クリーナーを測定テープ２にセットしたり、ステー１に係止する際、或いはそれらの解除時に、ボックス３Ａ、３Ｂの外側面３４を手指でつかんだ際、滑りにくくて扱いやすい。
この凸部４のバリエーション例を図７に示した。本実施形態の図７Ａのような凸部４の１本の基本形は、全体形状がかまぼこ形で、若干突出して細長く又はやや湾曲して成り、通常複数本が近接したタイプで構成されている。
【００２７】
図７Ａの基本形からのバリエーションとして、図７ＢやＣに例示したような凸部４の様々な配置、大きさ、本数で実施可能である。但し、図７Ｂに示したボックス３Ｂと図７Ｃに示したボックス３Ａとでは、凸部４を下記のように異なるタイプで実施するのが好ましい。図７Ｂは、凸部４を３本縦に配置した縦タイプ、斜めに３本配置した斜めタイプ、小さいものから大きいものへ４本並列して配置した山型タイプの例をそれぞれ示している。図７Ｃは、凸部４を３本三角形に配置した三角形タイプ、同４本を四角形に配置した四角形タイプ、同６本を六角形に配置した六角形タイプ、同８本を八角形に配置した八角形タイプ、やや湾曲した大小の凸部４を８本二重の円形に配置した二重円形タイプの例を各々示している。
【００２８】
上述した本クリーナーの使用方法について説明する。
まず、図１に示したように、ボックス本体３を展開し、ステー係止片６が取付けられていないボックス３Ｂのスポンジ５の上に、引き出された測定テープ２を印字が上になるようにして載せる。ステー係止片６が取付けられているボックス３Ａを前記ボックス３Ｂのスポンジ５の上に被せる（図９）。よって、図１０に示したように、ボックス本体３の中では、一対のボックス３Ａ、３Ｂの対向するスポンジ５、５間に、巻尺１の測定テープ２を挟み、ボックス３Ａの被係止部８に、ボックス３Ｂのボックス係止片７を係止して、ボックス本体３として一体化させる。この状態で、ステー係止片６が上向きになるようにする。
【００２９】
しかる後、図１１と図１２に示したように、巻尺１の測定テープ２用の口部１５の近傍に設置されているローラー１４の直上に位置するステー１１に、下方から前記ボックス３のステー係止片６を係止する。
【００３０】
そして、巻尺１を使用した後に、測定テープ２を巻取っていくと、図１３のように、測定テープ２に付着した砂や土、泥等の汚れ９が、前記測定テープ２を挟むボックス本体３内のスポンジ５、５によりクリーニングされ、あふれた当該土等の汚れ９は、ボックス本体３の開口部３６に溜ってくるので、それを除去すればよい。
【００３１】
何度も使用しスポンジ５、５が汚れてきたら、ボックス３Ａの被係止部８に係止されているボックス係止片７を外方へ解除し（図６参照）、測定テープ２から本クリーナーを取り外す。取り外した後、水道水で、スポンジ５、５を洗浄してやればよい。洗浄して再使用できるが、それでも測定テープ２のクリーニング性能が落ちてきたときは、当該クリーナー自体を新しいものに交換すればよい。
【００３２】
以上、実施形態を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００３３】
１        巻尺
１１      ステー
１５      測定テープ用口部
２        測定テープ
３        ボックス本体
３Ａ      ボックス
３Ｂ      ボックス
３０      開口内部
３１      内端
３３      外端
３４      外側面
３６      開口部
３７      前端
３８      後端
４        凸部
５        スポンジ
６        ステー係止片
７        ボックス係止片
８        被係止部
９        汚れ
【要約】
【課題】巻尺テープに簡単に着脱でき、巻尺の測定テープに付着する土等の汚れのクリーニングを簡便な構造ながら行える上巻尺テープ用クリーナーを提供する。
【解決手段】一対のボックス３Ａ、３Ｂの対向するスポンジ５、５間に巻尺１の測定テープ２を挟んでボックス本体３が一体化され、巻尺１の測定テープ２の口部１５の近傍に設置されているステー１１に、ボックス３のステー係止片６が係止され、巻尺１の測定テープ２を巻取りながら同測定テープ２に付着した砂や土、泥等の汚れ９が、測定テープ２を挟むボックス本体３内のスポンジ５、５によりクリーニングされる。
【選択図】    図１【図１】
0006041067.tif 000002
【図２】
0006041067.tif 000003
【図３】
0006041067.tif 000004
【図４】
0006041067.tif 000005
【図５】
0006041067.tif 000006
【図６】
0006041067.tif 000007
【図７】
0006041067.tif 000008
【図１２】
0006041067.tif 000009
【図１４】
0006041067.tif 000010
【図８】
0006041067.tif 000011
【図９】
0006041067.tif 000012
【図１０】
0006041067.tif 000013
【図１１】
0006041067.tif 000014
【図１３】
0006041067.tif 000015